(57)【要約】【課題】頻繁に使用する機能をファンクションキーに割当て、当該機能を実行できるようにするリモコンシステムを提供する。【解決手段】機器本体の機能を決定あるいはカーソル移動をするための各種キー又は前記機能を割当てるためのファンクションキーを備えた操作部１３と、操作部１３からのメニュー表示機能の決定を受けてメニュー項目を表示する映像表示部１４と、映像表示部１４に表示されたメニュー項目のうち、所望の項目がカーソルによって選択された状態でファンクションキーが押下げられることによって、カーソルの位置を検出し、カーソルの位置に対応した機能をファンクションキーの機能として割当てる中央処理部と、ファンクションキーの機能として割当てられた機能を保存する記憶部１１と、を具備したリモコンシステム。【選択図】図１
2010245669.tif 000002
【特許請求の範囲】
【請求項１】
機器本体の機能を決定あるいはカーソル移動をするための各種キー又は前記機能を割当てるためのファンクションキーを備えた操作部と、
前記操作部からのメニュー表示機能の決定を受けてメニュー項目を表示する映像表示部と、
前記映像表示部に表示されたメニュー項目のうち、所望の項目がカーソルによって選択された状態で前記ファンクションキーが押下げられることによって、前記カーソルの位置を検出し、前記カーソルの位置に対応した機能を前記ファンクションキーの機能として割当てる中央処理部と、
前記ファンクションキーに割当てられた機能を保存する記憶部と、
具備したリモコンシステム。
【請求項２】
メニュー項目をファンクションキーに割当てる際にはファンクションキーの押し下げを一定期間続ける必要があることを特徴とする請求項１記載のリモコンシステム。
【請求項３】
映像表示部に表示されたメニュー項目のうち、ファンクションキーの機能として割当てられた機能に相当する項目が、その他のメニュー項目と異なる様態で表示されることを特徴とする請求項１記載のリモコンシステム。
【請求項４】
映像表示部に表示されたメニュー内において、ファンクションキーの機能として割当てられた機能の名称が前記メニュー内の所定の場所に表示されることを特徴とする請求項１記載のリモコンシステム。
【請求項５】
映像表示部に表示されたメニュー内において、ファンクションキーに割当てが可能な機能にカーソルがある場合、ファンクションキー割当て可否情報が前記メニュー内の所定の場所に表示されることを特徴とする請求項１記載のリモコンシステム。
【請求項６】
ファンクションキーに割当てられた機能を実行する際に、ファンクションキーが押下げされると、記憶部から割当てられた機能を読み出し、機能の調整メニューや設定メニューを映像表示部に表示することを特徴とする請求項１記載のリモコンシステム。
【請求項７】
映像表示部に表示されたメニュー項目のうち、ファンクションキーの機能として割当てられた機能に相当するメニュー項目にカーソルがある状態でファンクションキーを一定時間押し下げ続けることにより、前記ファンクションキーに割当てられた機能を削除することを特徴とする請求項１記載のリモコンシステム。
【発明の詳細な説明】
【技術分野】
【０００１】
本発明は、電子機器のリモコンシステムにおいて頻繁に使用する機能の実行、設定、調整を行う際のユーザーの負担を軽減するためのショートカットキー（ファンクションキー）に関するものである。
【背景技術】
【０００２】
従来より電子機器において特定のショートカットキー（以降ファンクションキーと呼ぶ）に所望の機能を割当て、ファンクションキーを押下することで所望の機能が実行できるショートカット機能が提案されてきている。
【０００３】
従来は、ファンクションキーに機能を割当てる際にはファンクションキー割当て用の専用メニューに入り、ファンクションキーに割当てる機能を選択する必要があった（例えば、特許文献１）。
【０００４】
また、画面に表示されるメニューごとにファンクションキーの機能を自動的に変更が可能なものであっても、ファンクションキーに機能を割当てる際のガイダンス表示や、ファンクションキー押下により割当てた機能を呼び出す際の操作を容易にする方法については考慮されていない（例えば、特許文献２）。
【特許文献１】特開２００８−１９８１３８号公報
【特許文献２】特開２００８−１０２６号公報
【発明の開示】
【発明が解決しようとする課題】
【０００５】
前記従来の構成では、ファンクションキーに所望の機能を割当てる際に、一度専用の特殊なメニューを表示したり、特殊な操作を行ったりしてから割当てる機能を選択する必要があるため、ユーザーに煩雑な操作を行わせる必要がある。
【０００６】
また、ファンクションキーに色合い・明るさなどの調整機能やリアルタイムキースキャンのＯＮ／ＯＦＦなどの設定機能を割当てている場合に、ファンクションキーを押下すると、前記ファンクションキーに割当てた機能に対応したメニューが表示される。前記メニュー上で、調整値や設定値を変更する際には、ファンクションキー以外の操作部を操作する必要があるため、効率的に操作を行うことができない。
【０００７】
本発明は、ファンクションキーへ頻繁に使用する機能を割当てる際の作業の効率化、及び、ファンクションキーに割当てた機能の効率の良い実行手段を提供することを目的とする。
【課題を解決するための手段】
【０００８】
前記従来の課題を解決するために、本発明のリモコンシステムは、機器本体の機能を決定あるいはカーソル移動をするための各種キー又は前記機能を割当てるためのファンクションキーを備えた操作部と、前記操作部からのメニュー表示機能の決定を受けてメニュー項目を表示する映像表示部と、前記映像表示部に表示されたメニュー項目のうち、所望の項目がカーソルによって選択された状態で前記ファンクションキーが押下げられることによって、カーソル位置を検出するメニュー制御部と、検出されたカーソル位置に対応した機能を前記ファンクションキーの機能として割当て保存する記憶部と、を具備したことを特徴とする。
【０００９】
また、前記リモコンシステムにおいて、ファンクションキーの押下を一定期間続けることを特徴とする。
【００１０】
また、前記リモコンシステムにおいて、画像表示部に表示されたメニュー項目のうち、ファンクションキーの機能として割当てられた機能に相当するメニュー項目が前記ファンクションキーの機能として割当てられていないメニュー項目と異なる様態で表示されることを特徴とする。
【００１１】
また、前記リモコンシステムにおいて、画像表示部に表示されたメニュー内において、ファンクションキーの機能として割当てられた機能の名称がメニュー内の所定の場所に表示されることを特徴とする。
【００１２】
前記リモコンシステムにおいて、画像表示装置に表示されたメニュー内において、ファンクションキーに割当てが可能な機能にカーソルがある場合、ファンクションキー割当て可否ガイドが有効であることがメニュー画面内の所定の場所に表示されることを特徴とする。
【００１３】
また、前記リモコンシステムにおいて、ファンクションキーに割当てられた機能を実行する際に、ファンクションキーが押下げられると、記憶部から割当てられた機能を読み出し、機能の調整メニューや設定メニューを映像表示部に表示することを特徴とする。
【００１４】
また、前記リモコンシステムにおいて、画像表示部に表示されたメニュー項目のうち、ファンクションキーの機能として割当てられた機能に相当するメニュー項目にカーソルがある状態でファンクションキーを押下することにより、前記ファンクションキーに割当てられた機能を削除することを特徴とする。
【発明の効果】
【００１５】
本発明は、ファンクションキーに機能を割当てる際に特殊なメニューを表示したり、特殊な操作を行ったりする必要がない。また、ファンクションキーに機能を割当てる際も実行する際もファンクションキーの押下だけで行うことでユーザーの操作を簡素化し、ユーザーの操作ミスや、操作回数を削減することが可能になる。
【発明を実施するための最良の形態】
【００１６】
（実施の形態１）
図１は本発明のリモコンシステムの実施の形態の構成を示すブロック図である。
【００１７】
図１において、記憶部１１はファンクションキーに設定された機能を保存しておくものであり、例えばＥＥＰＲＯＭなどである。中央処理部１２は電子機器のマイコンであり、操作部１３からの入力受付、メニュー項目上のカーソル位置情報の取得、ファンクションキーに割当てられた機能の記憶部１１からの読み出し及び書き込み、映像表示部１４へのメニュー項目の出力などを行う。操作部１３は、ファンクションキー、上キー、下キー、左キー、右キー、戻るキー、メニュー表示キー、決定キーなどから構成される。
【００１８】
図２は本発明のリモコンシステムを搭載した画像表示装置上に表示されるメニュー項目を示す例である。
【００１９】
図２において、メニュー項目２１は映像表示部１４に表示された機器の機能のメニュー項目を示す。カーソル２２は、映像表示部１４上に投射された機器のメニュー項目２１内でリモコンの操作により選択されている項目を示す。本発明によるファンクションキーへの機能割当て手順を以下に示す。
【００２０】
操作部１３でメニュー表示キーが押下されると中央処理部１２は映像表示部１４でメニュー項目２１（図２）を表示する。操作部１３の上キー、下キー、左キー、右キー、戻るキー、決定キーが押下されると各キーの処理に従いメニュー項目２１上のカーソル２２が移動する。操作部１３でファンクションキーが一定期間以上押下し続けられると中央処理部１２はメニュー項目２１内のカーソル２２の位置を特定し、カーソル２２がある項目に対応した機能をファンクションキーの機能として記憶部１１に保存する。
【００２１】
この構成により、ユーザーはファンクションキーに所望の機能を割当てる際に特殊なメニューを表示したり、特殊な操作を行ったりする必要がない。
【００２２】
（実施の形態２）
図３に示すファンクションキー割当て済み機能３１はメニュー項目２１内におけるファンクションキーに割当て済みの項目である。図３において図２と同じ構成要素については同じ符号を用い、説明を省略する。
【００２３】
実施の形態１に記載されているリモコンシステムにおいてメニュー項目２１が映像表示部１４に表示される際に中央処理部１２は、記憶部１１からファンクションキーに割当て済みの機能を読み出す。前記中央処理部１２は記憶部１１から読み出したファンクションキーに割当てられた機能に該当する項目を特定する。ぞして前述のファンクションキーに割当てられた機能３１に該当する項目を、それ以外のファンクションキーに割当てられていない機能のメニュー項目２１内の項目と異なる表示様態、例えば、背景色と文字の色を変えたり、背景色と文字色とを反転させたりして映像表示部１４上に表示する特徴を有する。
【００２４】
この構成により、メニュー項目２１内のいずれの項目がファンクションキーに割当てられているかを明示することが可能になり、ユーザーはファンクションキーに割当てられた機能を容易に認識することができる。
【００２５】
（実施の形態３）
図４に示す割当て済みメニュー項目表示欄４１は機器のメニュー内でファンクションキーに割当てられている機能の名称を表示する表示欄である。図４において図２と同じ構成要素については同じ符号を用い、説明を省略する。
【００２６】
実施の形態１または実施の形態２に記載されているリモコンシステムにおいて、メニュー項目２１が映像表示部１４に表示される際に、中央処理部１２は、記憶部１１からファンクションキーに割当て済みの機能を読み出す。前記中央処理部１２は記憶部１１から読み出したファンクションキーに割当てられた機能の名称をメニュー内の所定の場所に表示する特徴を有する。
【００２７】
この構成により、メニュー項目２１内のいずれの項目をファンクションキーに割当てたかユーザーが失念した場合や、ファンクションキー割当て済み機能３１のように表示されている項目を見つけることができない場合でも割当て済みの機能をユーザーは容易に認識することができる。
【００２８】
（実施の形態４）
図５は、図２に示す各メニュー項目２１がファンクションキーへ割当て可能かどうかを表すファンクションキー割当て可否ガイド５１の表示例である。図５において図２と同じ構成要素については同じ符号を用い、説明を省略する。
【００２９】
実施の形態１、実施の形態２または実施の形態３に記載されたリモコンシステムにおいて、中央処理部１２はカーソル２２のある項目がファンクションキーに割当てが可能かどうかを判別する。前述の中央処理部１２がファンクションキーに割当て可能と判断した場合、ファンクションキー割当て可否ガイド５１をメニュー項目２１内の所定の位置に表示される特徴を有する。
【００３０】
この構成により、通常使用するメニュー項目２１においてファンクションキーに割当て不可能な項目について非表示処理などを行う必要がなくなる。従来はファンクションキーに割当て不可能な項目を非表示にしたりグレーアウト表示したりするためにユーザーに特殊なメニューを表示したり、特殊な操作を行ったりしてもらう必要があったが、ユーザーにとって前記煩雑な操作が不要になることの利点は大きい。
【００３１】
（実施の形態５）
実施の形態１に記載されたリモコンシステムにおいて、操作部１３でファンクションキーが押し下げられると中央処理部１２は記憶部１１からファンクションキー割当てられている機能を読み出す。次に、前述の中央処理部１２は前述の記憶部１１から読み出したファンクションキーに割当てられた機能を実行する特徴を有する。
【００３２】
この構成により、ユーザーは頻繁に使用する機能をリモコンシステム上のファンクションキー押下で実行、機能の調整メニュー表示、機能の設定メニュー表示などを行うことが可能になる。
【００３３】
（実施の形態６）
実施の形態５に記載されたリモコンシステムにおいて、操作部１３でファンクションキーが押し下げられると中央処理部１２は前述のファンクションキーが一定時間内に２回以上の押し下げられたかを判断する。前述の中央処理部１２が２回以上の押し下げだと判断した際は、前述の中央処理部１２はファンクションキーに割当てられている機能の調整値変更や、前記機能の設定値の変更を行う特徴を有する。
【００３４】
この構成により、ユーザーは頻繁に使用する機能の設定変更などを行う際にファンクションキー以外の操作部を操作する必要がなく、ユーザーが操作する必要のあるキーの数を削減できることから、ユーザーはより簡単に効率よく機能の調整値の変更や機能の設定値の変更を行うことが可能になる。
【００３５】
（実施の形態７）
実施の形態６に記載されたリモコンシステムにおいて、操作部１３でファンクションキーが押し下げられると中央処理部１２は前述のファンクションキーが一定時間以上押し下げられたかを判断する。前述の中央処理部１２が一定時間以上押し下げられたと判断した際はファンクションキーに割当てられた機能の調整値や、前述の機能の設定値を連続して変更する特徴を有する。
【００３６】
この構成により、機能の調整項目がスライドバーのような形式であっても操作部１３のファンクションキーの操作のみでユーザーはより簡単に効率よく機能の調整メニューの調整値変更や、設定メニュー内の設定値の変更を行うことが可能になる。
【００３７】
（実施の形態８）
実施の形態１、実施の形態２または実施の形態３に記載されたリモコンシステムにおいて、ファンクションキー割当て済み機能３１にカーソル２２がある場合に操作部１３のファンクションキーが一定期間以上押し下げられたことを中央処理部１２が判断した際、前述の中央処理部１２は記憶部１１内のファンクションキーに割当てられた機能を削除する特徴を有する。
【００３８】
この構成により、ファンクションキーに割当てた項目の削除を行う際にユーザーは特殊なメニューを表示したり、特殊な操作を行う必要がなく、ファンクションキーの押下のみで実行できるためユーザーの操作を簡素化することが可能になる。
【産業上の利用可能性】
【００３９】
本発明にかかるリモコンシステムは、特殊なモードや専用のメニューを表示しなくとも、ファンクションキーへの機能割当て、割当てた機能の実行、削除が行えるというようにユーザーインターフェースを向上したものであるため、画像表示装置等においてユーザーのお気に入り機能などを特定のキーに割当てる用途に有用である。
【図面の簡単な説明】
【００４０】
【図１】本発明の実施形態の構成を示すブロック図
【図２】画像表示装置に投影されるメニュー項目を示す図
【図３】ファンクションキーに割当て済みの項目が表示されたメニュー項目を示す図
【図４】ファンクションキー割当て済みの機能名称が表示されたメニュー項目を示す図
【図５】ファンクションキーへの割当て可否ガイドが表示されたメニュー項目を示す図
【符号の説明】
【００４１】
１１  記憶部
１２  中央処理部
１３  操作部
１４  映像表示部
１５  メニュー制御部
２１  メニュー項目
２２  カーソル
３１  ファンクションキー割当て済み機能
４１  割当て済みメニュー項目表示欄
５１  ファンクションキー割当て可否ガイド
【図１】
2010245669.tif 000003
【図２】
2010245669.tif 000004
【図３】
2010245669.tif 000005
【図４】
2010245669.tif 000006
【図５】
2010245669.tif 000007